(57)【要約】【課題】部品点数が少なく、収納性に優れた安価な冷蔵庫の置き台を提供することを目的とする。【解決手段】冷蔵庫の底部に別部品として配設される分解可能な冷蔵庫の置き台２であって、前桁１０と、左側桁１１と、右側桁１２と、棒状の部材で構成される後桁１３とを備え、前桁１０と左側桁１１及び右側桁１２とを嵌合により固定し、さらに後桁１３と左側桁１１及び右側桁１２とを嵌合により固定し、略ロ字状に形成されることを特徴とする。【選択図】図２
2008151423.tif 000002
【特許請求の範囲】
【請求項１】
冷蔵庫の底部に別部品として配設される分解可能な冷蔵庫の置き台であって、
前桁と、左側桁と、右側桁と、棒状の部材で構成される後桁とを備え、前記前桁と前記左側桁及び前記右側桁とを嵌合により固定し、さらに前記後桁と前記左側桁及び前記右側桁とを嵌合により固定し、略ロ字状に形成されることを特徴とする冷蔵庫の置き台。
【請求項２】
梱包時に、前記後桁を前記左側桁又は前記右側桁に収納することを特徴とする請求項１記載の冷蔵庫の置き台。
【請求項３】
圧縮機設置板を有する冷蔵庫の底部に別部品として配設される分解可能な冷蔵庫の置き台であって、
前桁と、左側桁と、右側桁とを備え、前記前桁と前記左側桁及び前記右側桁とを嵌合により固定し、さらに前記圧縮機設置板により前記左側桁及び前記右側桁のそれぞれの後部を固定することを特徴とする冷蔵庫の置き台。
【発明の詳細な説明】
【技術分野】
【０００１】
この発明は、冷蔵庫の底部に配設する、冷蔵庫の置き台に関するものである。
【背景技術】
【０００２】
従来の冷蔵庫の置き台について、簡単に説明する。冷蔵庫本体の底部に置き台が配設される。置き台は、前桁の凸部溝形状に右側桁の凸形状を嵌め、右側桁の凸部溝形状に後桁の凸形状を嵌め、後桁の凸部溝形状に左側桁の凸形状を嵌め、左側桁の凸部溝形状に前桁の凸形状を嵌めることにより、ロの字状の骨格を形成している。前板は、会社名や商標を表示する意匠性に優れたもので、嵌合爪を前桁と左側桁に嵌めることで前板を固定している。
【０００３】
前桁と左側桁には、冷蔵庫本体の前側底部に固定されている脚部を挿入する二つの凹形状が形成される。右側桁と後桁には、冷蔵庫本体の後側底部に固定されている圧縮機設置板を支持する二つの凸形状が形成される。置き台に配設される冷蔵庫本体の位置を適正にするとともに、冷蔵庫本体の倒れを防止している。
【特許文献１】特開平０１−１９０３１１号公報
【特許文献２】実開平０７−０２７３４５号公報
【発明の開示】
【発明が解決しようとする課題】
【０００４】
従来の冷蔵庫の置き台は以上のように構成されているため、例えば前桁に会社名や商標を表示する意匠性部品である前板が取り付けられるので、部品点数が多くコストが高い、また容量の小さな冷蔵庫では冷蔵庫の中に置き台を収納できない等の課題があった。
【０００５】
この発明は、上記のよう課題を解決するためになされたもので、部品点数が少なく、収納性に優れた安価な冷蔵庫の置き台を提供することを目的とする。
【課題を解決するための手段】
【０００６】
この発明に係る冷蔵庫の置き台は、冷蔵庫の底部に別部品として配設される分解可能な冷蔵庫の置き台であって、前桁と、左側桁と、右側桁と、棒状の部材で構成される後桁とを備え、前桁と左側桁及び右側桁とを嵌合により固定し、さらに後桁と左側桁及び右側桁とを嵌合により固定し、略ロ字状に形成されることを特徴とする。
【発明の効果】
【０００７】
この発明に係る冷蔵庫の置き台は、前桁と、左側桁と、右側桁と、棒状の部材で構成される後桁とを備え、嵌合により略ロ字状に形成されるので、部品点数が少なく、収納性に優れた安価な置き台を提供することができる。
【発明を実施するための最良の形態】
【０００８】
実施の形態の説明の前に背景について説明する。日本国内においては、冷蔵庫の設置場所は丈夫で水平なところである板間を想定している。しかし、海外に目を向けると冷蔵庫の設置場所には板間、土間、石間等があり、冷蔵庫を水平状態に保てない設置場所も存在する。特にタイでは土間の家庭が多く、地面から近いと衛生的でない等の理由により１ドア、２ドアの小形冷蔵庫には置き台を配設することが一般的である。このため、販売国（冷蔵庫を販売する国）により、また冷蔵庫の形態（冷蔵庫の仕様）により置き台の有無を設定している。
【０００９】
この置き台にも種類があり、冷蔵庫生産時に取り付ける一体型と、冷蔵庫を各家庭に配送した後に取り付ける別体型がある。冷蔵庫の形態、生産性等により一体型と別体型とを分別している。例えば、冷蔵庫の形態が置き台設置のみの販売国に限定されている場合は一体型の置き台を用いる。置き台設置が有りの販売国と、置き台設置が無しの販売国とがある場合は、別体型を用いる。
【００１０】
一体型の置き台の場合は、生産ラインで冷蔵庫に置き台を取り付けるため、冷蔵庫と一体のままで梱包される。
【００１１】
別体型の置き台の場合は、まず置き台の状態で梱包を行ない、この梱包された置き台を冷蔵庫の中に収納する必要がある。なお、別体型の置き台の場合は、冷蔵庫の梱包サイズが一体型に比べコンパクトにできるため、輸送、保管等に有利である。
【００１２】
本実施の形態では、冷蔵庫を各家庭に配送した後に取り付ける別体型の置き台について説明する。この別体型の置き台は、組立前の状態で梱包する。この梱包された置き台は、冷蔵庫の庫内に収納される。続いて、冷蔵庫を梱包する。
【００１３】
実施の形態１．
図１乃至図６は実施の形態１を示す図で、図１は冷蔵庫１００の斜視図、図２は置き台２の分解斜視図、図３は前桁１０と左側桁１１との嵌合部を示す要部斜視図、図４は前桁１０と左側桁１１との嵌合部を示す要部平面図、図５は左側桁１１と後桁１３との嵌合部を示す要部斜視図、図６は右側桁１２の裏面を示す斜視図である。
【００１４】
図１に示すように、冷蔵庫１００は、２ドアの冷蔵庫本体１が置き台２に設置される。置き台２は、別体型である。冷蔵庫本体１内に収納された置き台２の部品を開梱して取り出し、置き台２を組み立てる。組み立てた置き台２に、冷蔵庫本体１を設置する。
【００１５】
図２に示すように、置き台２は、その前面意匠面を形成する前桁１０と、左側桁１１と、右側桁１２と、左側桁１１と右側桁１２とを連結する、棒状の後桁１３とで構成される。置き台２は、略ロ字状に形成される。前桁１０、左側桁１１、右側桁１２は、ＰＰ（ポリプロピレン）、ＰＳ（ポリスチレン）等の合成樹脂製である。棒状の後桁１３は、鉄製である。但し、強度が確保できれば、他の材料でもよい。
【００１６】
図３、図４により、前桁１０と左側桁１１との嵌合について説明する。尚、前桁１０と右側桁１２との嵌合も同様であるので、説明は省く。前桁１０の側面端部には、Ｕ字フランジ１０ａが形成されている。左側桁１１の上下方向に形成された溝形状１１ａに、前桁１０のＵ字フランジ１０ａを嵌合する。
【００１７】
溝形状１１ａの奥側（下部側）に前桁１０側に突出するリブ１１ｂが形成されている。このリブ１１ｂが前桁１０のＵ字フランジ１０ａの溝１０ｆに嵌合する。この嵌合により、前桁１０の側面の開きを防止している。
【００１８】
前桁１０の天井裏面に、後方に突出するリブ１０ｃが形成されている。このリブ１０ｃが、左側桁１１のスリット１１ｃに嵌合する。この嵌合により、前桁１０の左右方向の動きを規制している。
【００１９】
前桁１０の左右端部の底部に下方に延びるリブ１０ｄが形成されている。左側桁１１の前桁１０側端部に、リブ１０ｄと嵌合する凹形状１１ｄが形成されている。リブ１０ｄを凹形状１１ｄに嵌合することで、左側桁１１を前桁１０に対して垂直に取り付けることができる。
【００２０】
左側桁１１には、冷蔵庫本体１の前側底部に固定されている脚部１４ａを挿入する凹形状１１ｅが形成されている。凹形状１１ｅの大きさを、脚部１４の大きさに合わせることで冷蔵庫本体１の位置を適正にしている。
【００２１】
図５に示すように、左側桁１１の後部には棒状の後桁１３を挿入する凹形状１１ｆが形成されている。また、爪１１ｇを設けることで後桁１３の外れを防止している。凹形状１１ｈは、冷蔵庫本体１の後側底部に固定されている圧縮機設置板１５が挿入される。凹形状１１ｈを圧縮機設置板１５の形状に合わせることで、冷蔵庫本体１の位置を適正にするとともに、冷蔵庫本体１の倒れを防止している。凹形状１１ｈの後壁に傾斜部１１ｉが設けられ、置き台２に冷蔵庫本体１を設置するとき、圧縮機設置板１５の挿入を補助している。
【００２２】
置き台２の梱包時に、後桁１３を右側桁１２又は左側桁１１に収納する例を図６により説明する。図６は右側桁１２に後桁１３を収納した状態を示した斜視図である。右側桁１２に後桁１３の先端を挿入する凹形状１２ｌと半円状の逃がしのＵ溝１２ｍを形成する。後桁１３をリブ１２ｎに引っ掛けることで、後桁１３の外れを防止している。図では後桁１３を右側桁１２に収納しているが、左側桁１１に収納してもよい。前桁１０にも後桁１３を収納可能であるが、前桁１０は意匠面になる。複雑な形状にすると、前桁１０の意匠に影響する。従って、後桁１３を左側桁１１又は右側桁１２に収納するのが好ましい。
【００２３】
以上のように、冷蔵庫１００の意匠性を損なうことなく、前板が不要のため部品点数を少なく、且つ安価な置き台２を製作することができる。また、梱包時に、置き台２の部品点数が少なく、且つ後桁１３を左側桁１１又は右側桁１２に収納できるので、容量の小さな冷蔵庫１００の中に置き台２を収納することができる。
【００２４】
実施の形態２．
実施の形態１では、置き台２を、前桁１０、左側桁１１、右側桁１２、後桁１３でロの字状の骨格を形成した。次に前桁１０、左側桁１１、右側桁１２でコの字状の骨格を形成した置き台２について説明する。
【００２５】
図５は実施の形態２も示す図であり、左側桁１１と圧縮機設置板１５との嵌合部を示す要部斜視図である。
【００２６】
図５に示すように、置き台２を構成する左側桁１１の凹形状１１ｈの底面に、凸形状１１ｊを形成する。また、冷蔵庫本体１の後側底部に固定されている圧縮機設置板１５に穴１５ｊを設けている。なお、図では左側桁１１のみであるが、右側桁１２にも同様の構造を形成している。
【００２７】
圧縮機設置板１５を置き台２に設置した場合、凸形状１１ｊが圧縮機設置板１５の穴１５Ｊに収まり、左側桁１１と右側桁１２を連結することで後桁１３を廃止することができる。なお、凸形状１１ｊの外周に形成されている溝１１ｋは、圧縮機設置板１５に設けている穴１５ｊから漏れてくる可能性のある冷蔵庫１００の除霜水等が床に垂れることを防止するものである。
【００２８】
以上のように、本実施の形態によれば、後桁１３が不要なため安価に置き台２を製作することが可能である。
【図面の簡単な説明】
【００２９】
【図１】実施の形態１を示す図で、冷蔵庫１００の斜視図。
【図２】実施の形態１を示す図で、置き台２の分解斜視図。
【図３】実施の形態１を示す図で、前桁１０と左側桁１１との嵌合部を示す要部斜視図。
【図４】実施の形態１を示す図で、前桁１０と左側桁１１との嵌合部を示す要部平面図。
【図５】実施の形態１及び実施の形態２を示す図で、左側桁１１と後桁１３との嵌合部及び左側桁１１と圧縮機設置板１５との嵌合部を示す要部斜視図。
【図６】実施の形態１を示す図で、右側桁１２の裏面を示す斜視図である。
【符号の説明】
【００３０】
１  冷蔵庫本体、２  置き台、１０  前桁、１０ａ  Ｕ字フランジ、１０ｃ  リブ、１０ｄ  リブ、１０ｆ  溝、１１  左側桁、１１ａ  溝形状、１１ｂ  リブ、１１ｃ  スリット、１１ｄ  凹形状、１１ｅ  凹形状、１１ｆ  凹形状、１１ｇ  爪、１１ｈ  凹形状、１１ｉ  傾斜部、１１ｊ  凸形状、１１ｋ  溝、１２  右側桁、１２ｌ  凹形状、１２ｍ  Ｕ溝、１２ｎ  リブ、１３  後桁、１４  脚部、１５  圧縮機設置板、１５ｊ  穴、１００  冷蔵庫。
【図１】
2008151423.tif 000003
【図２】
2008151423.tif 000004
【図３】
2008151423.tif 000005
【図４】
2008151423.tif 000006
【図５】
2008151423.tif 000007
【図６】
2008151423.tif 000008